(57)【要約】【課題】本発明は、日常においてコーヒーを味わう手段に一杯分ドリップパックがある。コーヒーカップと、お湯さえあれば手軽につくることができて便利である。しかしながら、この抽出方式ではコーヒーカップ内で抽出液が増す毎にドリップバッグが接液するので本来の味と雑味が加味されるが、ドリップバッグが接液するいじょうやむ得ない方式である。本考案は、これを解決するコーヒードリップバッグドリッパーを提供する。【手段】コーヒーカップ内に最適な位置までコーヒーを抽出しても、ドリップバッグが接液しない位置まで持ち上げる円筒部と、円筒部をコーヒーカップ上に固定する両サイドに切りかけのある円錐盤から構成されているコーヒードリップバッグドリッパーである。【選択図】図５
2010005409.tif 000002
【特許請求の範囲】
【請求項１】
コーヒーカップ内に最適な位置までコーヒーを抽出しても、ドリップバッグが接液しない位置まで持ち上げる円筒部と、円筒部をコーヒーカップ上に固定する両サイドに切りかけのある円錐盤から構成されている。円筒部には、外ネジが切ってあり円錐部には内ネジが切ってある。円筒部を左右回転させることにより高さが上下に移動する。よってコーヒードリップバッグが、コーヒーカップ内で最適な抽出量に達しても接液しない位置に調整できる。ここでネジを採用したのは、どんな多種にわたるコーヒーカップでも微調整のできること。そして円錐盤の切りかけは、上からお湯を注ぐ過程においてコーヒーカップ内の抽出量が外から確認できるので安全なコーヒードリップバッグドリッパーである。
【請求項２】
限られたコーヒーカップで、微調整の必要がなければ高さ調整ネジを使用しないで、上下にストレートにスライドし、予め凹凸をつけたストッパー位置に固定できる、もしくは円筒部と円錐部の摩擦を応用する手段もある。この簡易型の場合は円筒部の調整幅が小さく、携帯時には円筒部を円錐盤の厚み内に収納できるのでコンパクトで便利な簡易型コーヒードリップバッグドリッパーである。
【発明の詳細な説明】
【技術分野】
【０００１】  本発明は、コーヒードリップバッグをコーヒーカップ内にセットした状態でコーヒードリップバッグがコーヒー抽出液に接液しないように高さ調整のできるコーヒードリップバッグ用のコーヒードリップバッグドリッパーである。
【背景技術】
【０００２】  従来、コーヒー豆を挽いた粉からコーヒーを抽出する方法としてドリッパー器具を使用する方式（図６．ペーパードリップ）と、コーヒー豆を挽いた粉一人用を予めペーパーバッグ（フイルター）に納めたコーヒードリップバッグがある。こちらはコーヒードリッパーを使用せず直接コーヒーカップ上にセットして、簡単にコーヒーを抽出できる方式である。しかしこの方式は、ドリッパーがないのでコーヒー粉の入ったバッグの、あらかじめ付いている支えをコーヒーカップの縁に固定する為、コーヒー抽出液がコーヒーカップ内に増すことにより、最終的にはバッグが抽出液に接液するのが常である（図１）。よってバッグの接液状態が長引くほどにバッグ内外の液が逆流しコーヒーのアクまでも抽出される。よって抽出液がコップ内に最適な量に抽出されると同時に、いち早くバッグに残った液ともにコーヒーカップ外に取り除く必要があった。この方式は、バッグが接液するいじょうやむ得ない方式である。
【発明の開示】
【発明が解決しょうとする課題】
【０００３】  本発明は、市販の一杯分ドリップパックのコーヒードリップバックからコーヒーを抽出する場合、コーヒーカップに直接コーヒードリップバッグをセットする方式の為に、コーヒーカップ内の抽出液が増すごとにバッグがどっぷりと接液する。それによる障害として、接液状態が長引くほどバッグ内外の液が逆流しコーヒーのアクまでも抽出されてしまう問題点があった。本発明は、以上の問題点を解決し、手軽に抽出できてコーヒードリップバックの利点を損なわず、簡単にセットができて、しかも雑味のない純な味を抽出することのできるコーヒードリップバッグドリッパーである。
【課題を解決するための手段】
【０００４】  本考案のコーヒードリップバッグドリッパーにコーヒードリップバックをセットし、コーヒーカップ上にのせる。コーヒードリップバッグドリッパーは高さ調整ができるので、どんなコーヒーカップでもバッグが接液しない高さにあわす事ができる。
その方法は、コーヒーカップにセットしたコーヒードリップバックの底部先端が、コーヒーの最適な抽出液量の位置まで抽出しても接液しないように、予めコーヒードリップバッグドリッパーの高さを調整します。従来のペーパードリッパーと同じように上からお湯を注ぎコーヒーを抽出します。最適な抽出液量の位置の確認は、コーヒードリップバッグドリッパーの円錐盤の隙間から抽出液が適量位置にくるまで確認することができます。確認後コーヒーカップ上のコーヒードリップバッグドリッパーを外して出来上がりです。コーヒードリップバッグが抽出液に接液しないので本来のコーヒーの味を忠実に得ることができます。
【発明の効果】
【０００５】  本発明を使用することで、コーヒードリップバッグがコップ内のコーヒー抽出液に接液しないので、接液するがためのアク（雑味）を気にせずに純なコーヒー味を抽出することができる。また、従来のドリッパーとサーバー器具を使用するペーパードリップ方式と比較しても、お湯から抽出するまでの過程に於いて、上から注がれるお湯はコーヒー粉で濾過され何の障害物（従来のドリッパーとサーバー器具を使用するペーパードリップ方式ではペーパーの保護の仕切りがある）もなくダイレクトに最短距離でコーヒーカップ内に落下するので温度はさめることなく雑味も付加されないので本格的な味わいを得る事ができる。
【発明を実施するための最良の形態】
【０００６】  以下、本発明の実施の形態を説明する。
（イ）  （図２．３）本発明は、高さ調整のできる円筒（６）（７）と円筒を支えるドーナツ状円錐盤（５）からなっている。円筒の中にコーヒードリップバッグ（９）を上部から挿入し、バッグの支え（１０）を円筒状の縁（６）から外に出す。円筒を支える円錐盤の内側には内ネジ（１２）が切ってあり、円筒の外側には外ネジ（１１）が切ってある。つまり円錐盤を固定し円筒を回転させることにより高さ調整（７）ができる構造である。
（ロ）  （図５）円錐盤（５）をコーヒーカップ（２）上にのせる。円錐盤の両サイドは小判のようにカットして抽出液量が上から判る構造（７）になっている。コーヒーカップの深さは多種多様である為、コーヒードリップバッグがコーヒーカップ内で最適な抽出液量になっても接液しないお好みの高さに調整する。
（ハ）  （図４．５）コーヒードリップバッグとコーヒーカップとの間には仕切り（図６）（１５）がないので直接最短の距離でコップ内に落下し、抽出される過程でもロスがない構造である。
（ニ）  （図８）どんなコーヒーカップでも好みの高さに微調整ができる高さ調整ネジによる本考案のドリッパーであるが、微調整の必要がなければ高さ調整ネジを使用しないで、上下にストレートにスライドし、予め凹凸をつけたストッパー位置に固定する。もしくは摩擦による手段による簡易型にも応用できる。この場合円筒部が円錐盤内に収納できコンパクトで携帯に便利である。
本発明は以上の構成よりなる。
【図面の簡単な説明】
【０００７】
【図０１】従来のコーヒードリップバッグによる抽出方式
【図０２】本発明の横断面図
【図０３】本発明の横断面図（透視図）
【図０４】本発明の使用方法（過程）
【図０５】本発明の使用方法（過程、適正抽出量状態）
【図０６】従来のドリッパー器具を使用する方式
【図０７】お湯さえあればの収納例
【図０８】高さ調整ネジを使用しない簡易タイプ応用例
【符号の説明】
【０００８】（１）コーヒードリップバッグ、（２）コーヒーカップ、
（３）コーヒー抽出液抽出後適量値、（４）コーヒードリップ挿入装着口、
（５）円錐盤、（６）バッグ支え＆ストッパー、（７）高さ調整ネジ、
（８）コーヒー粉、（９）抽出液、（１０）バッグ支え、（１１）外ネジ、
（１２）内ネジ、（１３）最適な抽出液量、（１４）ペーパーフイルター、
（１５）小さい穴の開いた仕切り、（１６）ペーパードリップドリッパー、
（１７）サーバー、（１８）ドリップパック、
（１９）コーヒードリップバッグドリッパー、（２０）高さ調整ストッパー、
（２１）ネジなし、上下スライド円筒、
【図１】
2010005409.tif 000003
【図２】
2010005409.tif 000004
【図３】
2010005409.tif 000005
2010005409.tif 000006
【図６】
2010005409.tif 000007
【図７】
2010005409.tif 000008
【図８】
2010005409.tif 000009
【手続補正書】
【提出日】平成21年9月8日(2009.9.8)
【手続補正１】
【補正対象書類名】明細書
【補正対象項目名】０００２
【補正方法】変更
【補正の内容】
【０００２】  従来、コーヒー豆を挽いた粉からコーヒーを抽出する方法としてドリッパー器具を使用する方式（図４．ペーパードリップ）と、コーヒー豆を挽いた粉一人用を予めペーパーバッグ（フイルター）に納めたコーヒードリップバッグがある。こちらはコーヒードリッパーを使用せず直接コーヒーカップ上にセットして、簡単にコーヒーを抽出できる方式である。しかしこの方式は、ドリッパーがないのでコーヒー粉の入ったバッグの、あらかじめ付いている支えをコーヒーカップの縁に固定する為、コーヒー抽出液がコーヒーカップ内に増すことにより、最終的にはバッグが抽出液に接液するのが常である（図１）。よってバッグの接液状態が長引くほどにバッグ内外の液が逆流しコーヒーのアクまでも抽出される。よって抽出液がコップ内に最適な量に抽出されると同時に、いち早くバッグに残った液ともにコーヒーカップ外に取り除く必要があった。この方式は、バッグが接液するいじょうやむ得ない方式である。
【手続補正２】
【補正対象書類名】明細書
【補正対象項目名】０００６
【補正方法】変更
【補正の内容】
【０００６】以下、本発明の実施の形態を説明する。（イ）（図２）本発明は、高さ調整のできる円筒（６）（７）と円筒を支えるドーナツ状円錐盤（５）からなっている。円筒の中にコーヒードリップバッグ（９）を上部から挿入し、バッグの支え（１０）を円筒状の縁（６）から外に出す。円筒を支える円錐盤の内側には内ネジ（１２）が切ってあり、円筒の外側には外ネジ（１１）が切ってある。つまり円錐盤を固定し円筒を回転させることにより高さ調整（７）ができる構造である。（ロ）（図３）円錐盤（５）をコーヒーカップ（２）上にのせる。円錐盤の両サイドは小判のようにカットして抽出液量が上から判る構造（７）になっている。コーヒーカップの深さは多種多様である為、コーヒードリップバッグがコーヒーカップ内で最適な抽出液量になっても接液しないお好みの高さに調整する。（ハ）（図３）コーヒードリップバッグとコーヒーカップとの間には仕切り（図６）（１５）がないので直接最短の距離でコップ内に落下し、抽出される過程でもロスがない構造である。（ニ）（図６）どんなコーヒーカップでも好みの高さに微調整ができる高さ調整ネジによる本考案のドリッパーであるが、微調整の必要がなければ高さ調整ネジを使用しないで、上下にストレートにスライドし、予め凹凸をつけたストッパー位置に固定する。もしくは摩擦による手段による簡易型にも応用できる。この場合円筒部が円錐盤内に収納できコンパクトで携帯に便利である。
【手続補正３】
【補正対象書類名】明細書
【補正対象項目名】０００７
【補正方法】変更
【補正の内容】
【０００７】
【図０１】従来のコーヒードリップバッグによる抽出方式
【図０２】本発明の横断面図
【図０３】本発明の使用方法
【図０４】従来のドリッパー器具を使用する方式
【図０５】お湯さえあればの収納例
【図０６】高さ調整ネジを使用しない簡易タイプ応用例
【手続補正４】
【補正対象書類名】図面
【補正対象項目名】全図
【補正方法】変更
【補正の内容】
【図１】
2010005409.tif 000010
【図２】
2010005409.tif 000011
【図３】
2010005409.tif 000012
【図４】
2010005409.tif 000013
【図５】
2010005409.tif 000014
【図６】
2010005409.tif 000015